(57)【特許請求の範囲】
【請求項１】
前後方向へ延びる頂底壁および両側壁と、それら壁に囲繞されて前記前後方向へ貫通し、光ファイバ接続用コネクタを着脱可能に挿入する挿入孔と、前記挿入孔の両端部に着脱可能に設置されて該挿入孔の両端部を開閉可能なシャッタ部材と、前記挿入孔の中央部に設置されて前記コネクタのフェルールを支持する光接続用スリーブとを有する光通信用アダプタにおいて、
前記アダプタが、前記挿入孔の両端部の少なくとも一方に着脱可能に設置されるストッパー部材を含み、前記シャッタ部材が、第１底板と、前記第１底板の両側縁から上方へ延びる第１両側板と、前記第１両側板の間に位置して前記第１底板の前端縁から上方へ延びる連結板と、前記連結板につながって前記第１底板から上方へ延びるとともに、所定の曲率半径を有して湾曲する弾性変形可能なシャッタ板とを有し、前記ストッパー部材が、第２底板と、前記第２底板の両側縁から上方へ延びる第２両側板と、前記第２両側板に形成された弾性変形可能な係止板とを有し、
前記両端部に延びる底壁の外面には、該外面から内面に向かって凹む底壁第１凹部と、前記底壁第１凹部よりも前記中央部の側に位置し、該外面から内面に向かって凹むとともに前記底壁第１凹部よりも凹み深さが浅い底壁第２凹部とが形成され、前記両端部に延びる両側壁の外面には、該外面から内面に向かって凹む側壁第１凹部と、該外面から内面に向かって凹むとともに前記側壁第１凹部よりも凹み深さが浅い側壁第２凹部とが形成され、
前記シャッタ部材の第１底板が、前記底壁第１凹部に嵌合しつつ前記底壁第２凹部と略同一平面を形成し、前記ストッパー部材の第２底板が、前記第１底板の上に重なった状態で前記底壁第２凹部に嵌合し、前記シャッタ部材の第１両側板が、前記側壁第１凹部に嵌合しつつ前記側壁第２凹部と略同一平面を形成し、前記ストッパー部材の第２両側板が、前記第１両側板の上に重なった状態で前記側壁第２凹部に嵌合し、
前記シャッタ部材のシャッタ板が、前記挿入孔の両端部に位置して該挿入孔の中央部に向かって凸となるように湾曲しつつ該挿入孔を遮蔽するとともに、前記コネクタを前記挿入孔に挿入したときに該コネクタに押圧されて該挿入孔の中央部に向かって倒れることを特徴とする光通信用アダプタ。
【請求項２】
前記両端部に延びる底壁の端面には、前記挿入孔の中央部に向かって凹む端面凹部が形成され、前記シャッタ部材の連結板が、前記端面凹部に嵌合している請求項１記載の光通信用アダプタ。
【請求項３】
前記シャッタ部材の第１底板が、前記底壁第１凹部と略同形同大に成形されて該底壁第１凹部の全域に密着し、前記シャッタ部材の第１両側板が、前記側壁第１凹部と略同形同大に成形されて該側壁第１凹部の全域に密着するとともに、前記ストッパー部材の第２底板が、前記底壁第２凹部と前記シャッタ部材の第１底板とに密着し、前記ストッパー部材の第２両側板が、前記側壁第２凹部と前記シャッタ部材の第１両側板とに密着している請求項１または請求項２に記載の光通信用アダプタ。
【請求項４】
前記両端部に延びる底壁の外面には、前記底壁第１凹部よりも前記両端部の側に位置し、該外面から内面に向かって凹むとともに前記底壁第２凹部よりも凹み深さが浅い底壁第３凹部と、前記底壁第１凹部および底壁第３凹部につながる底壁段差部とが形成され、前記シャッタ部材の第１底板が、前記底壁第１凹部に嵌合する第１嵌合部と、前記底壁第３凹部に嵌合する第２嵌合部と、前記第１および第２嵌合部の間に位置して前記底壁段差部に嵌合する段差嵌合部とを有する請求項１ないし請求項３いずれかに記載の光通信用アダプタ。
【請求項５】
前記両端部に延びる底壁の内面には、該内面から外面に向かって凹むとともに、前記シャッタ部材のシャッタ板が前記挿入孔の中央部に向かって倒れたときにそのシャッタ板を収容する収容凹部が形成されている請求項１ないし請求項４いずれかに記載の光通信用アダプタ。
【請求項６】
前記シャッタ部材のシャッタ板が、その基端に位置して前記底壁の内面に密着する固定部と、その延出端に位置して前記挿入孔の中央部に向かって所定角度で折れ曲がる折曲部と、前記固定部と前記折曲部との間に位置して前記挿入孔の中央部に向かって凸となるように湾曲する湾曲部とを有する請求項１ないし請求項５いずれかに記載の光通信用アダプタ。
【請求項７】
前記アダプタでは、それを前後方向へ二分する中心線を挟み、前記底壁第１凹部どうしが対称型に形成され、前記底壁第２凹部どうしが対称型に形成され、前記底壁第３凹部どうしが対称型に形成されているとともに、前記側壁第１凹部どうしが対称型に形成され、前記側壁第２凹部どうしが対称型に形成されている請求項４ないし請求項６いずれかに記載の光通信用アダプタ。
【請求項８】
前記アダプタが、前記両側壁の間に位置して前記前後方向へ延びる少なくとも１つの仕切壁を含むとともに、前記仕切板を挟んで横方向へ並ぶ少なくとも２つの前記挿入孔を備え、前記シャッタ部材が、前記底板を共有しつつ前記横方向へ並ぶ少なくとも２つの前記連結板と前記シャッタ板とを有し、それらシャッタ板が、それら挿入孔の両端部に位置してそれら挿入孔の中央部に向かって凸となるように湾曲する請求項１ないし請求項７いずれかに記載の光通信用アダプタ。
【請求項９】
前記シャッタ部材の底板が、それらシャッタ板の間に位置して前記挿入孔の中央部に向かって凹む凹部を有する請求項８記載の光通信用アダプタ。
【請求項１０】
前記シャッタ板の曲率半径が、５．０〜７．５の範囲にある請求項１ないし請求項９いずれかに記載の光通信用アダプタ。
【請求項１１】
前記シャッタ部材の厚み寸法が、０．０１〜０．１ｍｍの範囲にあり、前記シャッタ板の弾性反発力が、０．１〜０．６Ｎの範囲にある請求項１ないし請求項１０いずれかに記載の光通信用アダプタ。
【発明の詳細な説明】
【技術分野】
【０００１】
本発明は、光ファイバ接続用コネクタどうしまたは光ファイバ接続用コネクタと半導体レーザ等の光発信装置とを接続する光通信用アダプタに関する。
【背景技術】
【０００２】
半導体レーザ等の光発信装置から発信されるレーザ光を光ファイバを利用して伝送する光通信において、光ファイバを接続する手段として、光ファイバ接続用コネクタを着脱可能に挿入する光通信用アダプタが利用されている。光発信装置からレーザ光を発信した状態で、アダプタに挿入された光ファイバ接続用コネクタの着脱作業を行うと、作業者の目がアダプタから漏出するレーザ光に曝させる危険がある。
【０００３】
そのような危険を回避するため、頂底壁および両側壁から形成されたハウジングと、ハウジングを前後方向へ貫通して光ファイバ接続用コネクタを着脱可能に挿入する挿入孔と、挿入孔の中央部に設置されてコネクタのフェルールを支持する光接続用スリーブと、挿入孔の一方の端部に設置されるシャッタ部材（シャッタ金具）と、挿入孔の他方の端部に設置されるストッパー部材（ストッパー金具）とを有する光通信用アダプタがある（特許文献１参照）。
【０００４】
シャッタ部材は、底板と、底板の両側縁から上方へ延びる両側板と、底板の前端縁につながって底板から上方へ傾斜して延びる弾性変形可能なシャッタ板とから形成されている。シャッタ部材では、その底板がハウジングの底壁に当接し、その両側板がハウジングの両側壁に形成された側壁凹部に嵌合するとともに、そのシャッタ板が挿入孔の端部に位置して端部を遮蔽している。ストッパー部材は、底板と、底板の両側縁から上方へ延びる両側板と、両側板に作られた弾性変形可能な係止板とから形成されている。ストッパー部材では、その底板がハウジングの底壁に当接し、その両側板がハウジングの両側壁に形成された側壁凹部に嵌合する。
【０００５】
シャッタ部材のシャッタ板は、挿入孔の一方の端部の内側に位置して挿入孔の中央部に向かって傾斜しつつ挿入孔を遮蔽する。アダプタは、ストッパー部材の係止板を利用して光通信に使用する取り付けパネルや各種装置、各種機器の所定の箇所に取り付けることができる。このアダプタは、挿入孔に光ファイバ接続用コネクタを挿入すると、コネクタに押圧されてシャッタ板が弾性変形し、シャッタ板が挿入孔の中央部に向かって倒れ、挿入孔の遮蔽が解除される。コネクタを挿入孔から抜き取ると、シャッタ板がその弾性力（反発力）によって起き上がり、挿入孔を再び遮蔽する。
【先行技術文献】
【特許文献】
【０００６】
【特許文献１】特開２００２−２４３９７８号公報（ＪＰ．Ａ）
【発明の概要】
【発明が解決しようとする課題】
【０００７】
前記特許文献１に開示の光通信用アダプタは、シャッタ部材を挿入孔の一方の端部に設置し、ストッパー部材を挿入孔の他方の端部に設置することはできるが、シャッタ部材を挿入孔の両端部に設置しつつ、そのシャッタ部材の上に重ねた状態でストッパー部材を挿入孔の端部に設置することはできない。したがって、一方の端部においてレーザ光を遮蔽することはできるが、他方の端部においてレーザ光を遮蔽することができず、光発信装置からレーザ光を発信した状態で、光ファイバ接続用コネクタの着脱作業を行う場合、作業者の目がアダプタから漏出するレーザ光に曝させる危険が残る。
【０００８】
本発明の目的は、シャッタ部材を挿入孔の両端部に設置しつつ、そのシャッタ部材の上に重ねた状態でストッパー部材を挿入孔の端部に設置することができる光通信用アダプタを提供することにある。
【課題を解決するための手段】
【０００９】
前記課題を解決するための本発明の前提は、前後方向へ延びる頂底壁および両側壁と、それら壁に囲繞されて前後方向へ貫通し、光ファイバ接続用コネクタを着脱可能に挿入する挿入孔と、挿入孔の両端部に着脱可能に設置されて挿入孔の両端部を開閉可能なシャッタ部材と、挿入孔の中央部に設置されてコネクタのフェルールを支持する光接続用スリーブとを有する光通信用アダプタである。
【００１０】
前記前提における本発明の特徴は、アダプタが挿入孔の両端部の少なくとも一方に着脱可能に設置されるストッパー部材を含み、シャッタ部材が、第１底板と、第１底板の両側縁から上方へ延びる第１両側板と、第１両側板の間に位置して第１底板の前端縁から上方へ延びる連結板と、連結板につながって第１底板から上方へ延びるとともに、所定の曲率半径を有して湾曲する弾性変形可能なシャッタ板とを有し、ストッパー部材が、第２底板と、第２底板の両側縁から上方へ延びる第２両側板と、第２両側板に形成された弾性変形可能な係止板とを有し、両端部に延びる底壁の外面には、その外面から内面に向かって凹む底壁第１凹部と、底壁第１凹部よりも中央部の側に位置し、その外面から内面に向かって凹むとともに底壁第１凹部よりも凹み深さが浅い底壁第２凹部とが形成され、両端部に延びる両側壁の外面には、その外面から内面に向かって凹む側壁第１凹部と、その外面から内面に向かって凹むとともに側壁第１凹部よりも凹み深さが浅い側壁第２凹部とが形成され、シャッタ部材の第１底板が底壁第１凹部に嵌合しつつ底壁第２凹部と略同一平面を形成し、ストッパー部材の第２底板が第１底板の上に重なった状態で底壁第２凹部に嵌合し、シャッタ部材の第１両側板が側壁第１凹部に嵌合しつつ側壁第２凹部と略同一平面を形成し、ストッパー部材の第２両側板が第１両側板の上に重なった状態で側壁第２凹部に嵌合し、シャッタ部材のシャッタ板が、挿入孔の両端部に位置して挿入孔の中央部に向かって凸となるように湾曲しつつ挿入孔を遮蔽するとともに、コネクタを挿入孔に挿入したときにコネクタに押圧されて挿入孔の中央部に向かって倒れることにある。
【００１１】
本発明の一例として、両端部に延びる底壁の端面には、挿入孔の中央部に向かって凹む端面凹部が形成され、シャッタ部材の連結板が端面凹部に嵌合している。
【００１２】
本発明の他の一例としては、シャッタ部材の第１底板が底壁第１凹部と略同形同大に成形されて底壁第１凹部の全域に密着し、シャッタ部材の第１両側板が側壁第１凹部と略同形同大に成形されて側壁第１凹部の全域に密着するとともに、ストッパー部材の第２底板が底壁第２凹部とシャッタ部材の第１底板とに密着し、ストッパー部材の第２両側板が側壁第２凹部とシャッタ部材の第１両側板とに密着している。
【００１３】
本発明の他の一例として、両端部に延びる底壁の外面には、底壁第１凹部よりも両端部の側に位置し、その外面から内面に向かって凹むとともに底壁第２凹部よりも凹み深さが浅い底壁第３凹部と、底壁第１凹部および底壁第３凹部につながる底壁段差部とが形成され、シャッタ部材の第１底板が、底壁第１凹部に嵌合する第１嵌合部と、底壁第３凹部に嵌合する第２嵌合部と、第１および第２嵌合部の間に位置して底壁段差部に嵌合する段差嵌合部とを有する。
【００１４】
本発明の他の一例として、両端部に延びる底壁の内面には、その内面から外面に向かって凹むとともに、シャッタ部材のシャッタ板が挿入孔の中央部に向かって倒れたときにそのシャッタ板を収容する収容凹部が形成されている。
【００１５】
本発明の他の一例としては、シャッタ部材のシャッタ板が、その基端に位置して底壁の内面に密着する固定部と、その延出端に位置して挿入孔の中央部に向かって所定角度で折れ曲がる折曲部と、固定部と折曲部との間に位置して挿入孔の中央部に向かって凸となるように湾曲する湾曲部とを有する。
【００１６】
本発明の他の一例として、アダプタでは、それを前後方向へ二分する中心線を挟み、底壁第１凹部どうしが対称型に形成され、底壁第２凹部どうしが対称型に形成され、底壁第３凹部どうしが対称型に形成されているとともに、側壁第１凹部どうしが対称型に形成され、側壁第２凹部どうしが対称型に形成されている。
【００１７】
本発明の他の一例としては、アダプタが、両側壁の間に位置して前後方向へ延びる少なくとも１つの仕切壁を含むとともに、仕切板を挟んで横方向へ並ぶ少なくとも２つの挿入孔を備え、シャッタ部材が底板を共有しつつ横方向へ並ぶ少なくとも２つの連結板とシャッタ板とを有し、それらシャッタ板がそれら挿入孔の両端部に位置してそれら挿入孔の中央部に向かって凸となるように湾曲する。
【００１８】
本発明の他の一例としては、シャッタ部材の底板がそれらシャッタ板の間に位置して挿入孔の中央部に向かって凹む凹部を有する。
【００１９】
本発明の他の一例としては、シャッタ板の曲率半径が５．０〜７．５の範囲にある。
【００２０】
本発明の他の一例としては、シャッタ部材の厚み寸法が０．０１〜０．１ｍｍの範囲にあり、シャッタ板の弾性反発力が０．１〜０．６Ｎの範囲にある。
【発明の効果】
【００２１】
本発明に係る光通信用アダプタによれば、底壁に底壁第１凹部および底壁第２凹部が形成され、両側壁に側壁第１凹部および側壁第２凹部が形成され、シャッタ部材の底板と両側板とが底壁第１凹部と側壁第１凹部とに嵌合し、ストッパー部材の底板がシャッタ部材の底板の上に重なった状態で底壁第２凹部に嵌合するとともに、ストッパー部材の両側板がシャッタ部材の両側板の上に重なった状態で側壁第２凹部に嵌合するから、挿入孔の端部にシャッタ部材とストッパー部材との両者を設置することができる。アダプタは、挿入孔の両端部にシャッタ部材を設置することができ、挿入孔の両端部の少なくとも一方にストッパー部材を設置することができるから、挿入孔の両端部においてレーザ光を遮蔽することができ、挿入孔の両端部において光ファイバ接続用コネクタの着脱作業を行ったとしても、作業者の目がアダプタから漏出するレーザ光に曝させる危険はない。アダプタは、シャッタ部材が第１底板と第１底板の両側縁から上方へ延びる第１両側板と第１底板の前端縁から上方へ延びる連結板と連結板につながって所定の曲率半径で湾曲するシャッタ板とから作られ、ストッパー部材が第２底板と第２底板の両側縁から上方へ延びる第２両側板と第２両側板に形成された係止板とから作られるから、プレス成形加工によってシャッタ部材やストッパー部材を短時間に大量に製作することができ、低い製作コストでシャッタ部材やストッパー部材を製作することができ、その結果、アダプタ自体を低い単価で作ることができる。アダプタは、シャッタ部材の第１底板を底壁に形成された底壁第１凹部に嵌合させ、シャッタ部材の第１両側板を両側壁に形成された側壁第１凹部に嵌合させることで、シャッタ部材をアダプタに簡単に取り付けることができ、ストッパー部材の第２底板を底壁に形成された底壁第２凹部に嵌合させ、ストッパー部材の第２両側板を両側壁に形成された側壁第２凹部に嵌合させることで、ストッパー部材をアダプタに簡単に取り付けることができるから、シャッタ部材やストッパー部材のアダプタに対する取り付けが容易であり、組み立てに手間や時間がかからず、その結果、アダプタ自体を低い単価で作ることができる。このアダプタは、その挿入孔に光ファイバ接続用コネクタを挿入すると、シャッタ部材のシャッタ板がコネクタに押圧されて挿入孔の中央部に向かって倒れるから、シャッタ板による遮蔽が解除され、レーザ光を接続させることができる。また、コネクタを挿入孔から抜き取ると、シャッタ板がその弾性力によって起き上がり、挿入孔を再び遮蔽するから、アダプタにおけるレーザ光の漏出を確実に防ぐことができる。
【００２２】
シャッタ部材の連結板がアダプタの底壁の端面に形成された端面凹部に嵌合する光通信用アダプタは、端面凹部に嵌合するシャッタ部材の連結板によってシャッタ部材がアダプタに確実に固定され、シャッタ部材のずれ動きやシャッタ部材のアダプタからの抜脱を防ぐことができ、シャッタ部材を利用して挿入孔を確実に遮蔽することができる。
【００２３】
シャッタ部材の第１底板が底壁第１凹部と略同形同大に成形されて底壁第１凹部の全域に密着し、シャッタ部材の第１両側板が側壁第１凹部と略同形同大に成形されて側壁第１凹部の全域に密着するとともに、ストッパー部材の第２底板が底壁第２凹部とシャッタ部材の第１底板とに密着し、ストッパー部材の第２両側板が側壁第２凹部とシャッタ部材の第１両側板とに密着する光通信用アダプタは、底壁第１凹部全域に密着するシャッタ部材の第１底板や側壁第１凹部全域に密着するシャッタ部材の第１両側板によってシャッタ部材がアダプタに確実に固定され、シャッタ部材のずれ動きやシャッタ部材のアダプタからの抜脱を防ぐことができ、シャッタ部材を利用して挿入孔を確実に遮蔽することができる。アダプタは、底壁第２凹部とシャッタ部材の第１底板とに密着するストッパー部材の第２底板や側壁第２凹部とシャッタ部材の第１両側板とに密着するストッパー部材の第２両側板によってシャッタ部材とストッパー部材とがアダプタに確実に固定され、シャッタ部材およびストッパー部材のずれ動きやシャッタ部材およびストッパー部材のアダプタからの抜脱を防ぐことができる。
【００２４】
底壁第２凹部よりも凹み深さが浅い底壁第３凹部と底壁第１凹部および底壁第３凹部につながる底壁段差部とが形成され、シャッタ部材の第１底板が底壁第１凹部に嵌合する第１嵌合部と底壁第３凹部に嵌合する第２嵌合部と底壁段差部に嵌合する段差嵌合部とを有する光通信用アダプタは、第１底板の第１嵌合部が底壁第１凹部に嵌合し、第１底板の第２嵌合部が底壁第３凹部に嵌合するとともに、第１底板の段差嵌合部が底壁段差部に嵌合するから、シャッタ部材がアダプタに確実に固定され、シャッタ部材のずれ動きやシャッタ部材のアダプタからの抜脱を防ぐことができ、シャッタ部材を利用して挿入孔を確実に遮蔽することができる。このアダプタは、シャッタ部材の底板に形成された段差嵌合部がリブとして機能するから、底板の捩れや折れ曲がりを防ぐことができ、底板を底壁の底壁第１凹部や底壁第３凹部、底壁段差部に確実に密着させることができ、シャッタ部材をアダプタに確実に固定することができる。
【００２５】
シャッタ部材のシャッタ板が挿入孔の中央部に向かって倒れたときにそのシャッタ板を収容する収容凹部が底壁の内面に形成された光通信用アダプタは、シャッタ板が倒れる過程においてシャッタ板が収容凹部に順次収容されるから、シャッタ板が光ファイバ接続用コネクタの端部への挿入や抜き取りの邪魔をすることはなく、コネクタを挿入孔に円滑に挿入することができるとともに、コネクタを挿入孔から円滑に抜き取ることができる。
【００２６】
シャッタ部材のシャッタ板が底壁の内面に密着する固定部と所定角度で折れ曲がる折曲部と挿入孔の中央部に向かって凸となるように湾曲する湾曲部とを有する光通信用アダプタは、底板とシャッタ板の固定部とがアダプタの底壁の内外面を挟み込んだ状態となるから、シャッタ部材がアダプタに確実に固定され、シャッタ部材のずれ動きやシャッタ部材のアダプタからの抜脱を防ぐことができ、シャッタ部材を利用して挿入孔を確実に遮蔽することができる。アダプタは、シャッタ部材のシャッタ板の折曲部が挿入孔の中央部に向かって所定角度で折れ曲がるから、光ファイバ接続用コネクタを挿入孔に挿入したときに、シャッタ板の延出端のエッジがコネクタに接触することなく、シャッタ板の延出端のエッジがコネクタに接触することによるコネクタの傷付きを防ぐことができる。このアダプタは、シャッタ板の固定部と折曲部との間に位置する湾曲部が挿入孔の中央部に向かって凸となるように湾曲するから、湾曲部によってシャッタ板の弾性力（反発力）が均一に分散してシャッタ板の耐久性が向上し、シャッタ板が倒れ込みと起き上がりとを繰り返したとしても、シャッタ板の弾性力が低下することはなく、繰り返しの使用においてシャッタ板を利用して挿入孔を確実に遮蔽することができる。
【００２７】
中心線を挟んで底壁第１凹部どうしが対称型に形成され、底壁第２凹部どうしが対称型に形成され、底壁第３凹部どうしが対称型に形成されているとともに、側壁第１凹部どうしが対称型に形成され、側壁第２凹部どうしが対称型に形成された光通信用アダプタは、挿入孔の両端部に同一形状のシャッタ部材を設置することができ、挿入孔の両端部に同一形状のストッパー部材を設置することができる。アダプタは、挿入孔の両端部にシャッタ部材を設置することができ、挿入孔の両端部の少なくとも一方にストッパー部材を設置することができるから、挿入孔の両端部においてレーザ光を遮蔽することができ、挿入孔の両端部において光ファイバ接続用コネクタの着脱作業を行ったとしても、作業者の目がアダプタから漏出するレーザ光に曝させる危険はない。
【００２８】
両側壁の間に位置する少なくとも１つの仕切壁を含むとともに、仕切板を挟んで横方向へ並ぶ少なくとも２つの挿入孔を備え、シャッタ部材が底板を共有しつつ横方向へ並ぶ少なくとも２つの連結板とシャッタ板とを有する光通信用アダプタは、少なくとも２つの光ファイバ接続用コネクタを横方向へ並べた状態でそれらコネクタを挿入孔に挿入し、それらコネクタを介してレーザ光を接続させることができ、一度に複数の線路による光接続を行うことができる。アダプタは、挿入孔の両端部にシャッタ部材を設置することができ、挿入孔の両端部の少なくとも一方にストッパー部材を設置することができるから、挿入孔の両端部においてレーザ光を遮蔽することができ、挿入孔の両端部において光ファイバ接続用コネクタの着脱作業を行ったとしても、作業者の目がアダプタから漏出するレーザ光に曝させる危険はない。アダプタは、シャッタ部材が第１底板と第１底板の両側縁から上方へ延びる第１両側板と第１底板の前端縁から上方へ延びる少なくとも２つの連結板とそれら連結板につながって所定の曲率半径で湾曲する少なくとも２つのシャッタ板とから作られ、ストッパー部材が第２底板と第２底板の両側縁から上方へ延びる第２両側板と第２両側板に形成された係止板とから作られるから、プレス成形加工によってシャッタ部材やストッパー部材を短時間に大量に製作することができ、低い製作コストでシャッタ部材やストッパー部材を製作することができ、その結果、アダプタ自体を低い単価で作ることができる。アダプタは、シャッタ部材の第１底板を底壁に形成された底壁第１凹部に嵌合させ、シャッタ部材の第１両側板を両側壁に形成された側壁第１凹部に嵌合させることで、シャッタ部材をアダプタに簡単に取り付けることができ、ストッパー部材の第２底板を底壁に形成された底壁第２凹部に嵌合させ、ストッパー部材の第２両側板を両側壁に形成された側壁第２凹部に嵌合させることで、ストッパー部材をアダプタに簡単に取り付けることができるから、シャッタ部材やストッパー部材のアダプタに対する取り付けが容易であり、組み立てに手間や時間がかからず、その結果、アダプタ自体を低い単価で作ることができる。
【００２９】
シャッタ部材の底板がそれらシャッタ板の間に位置して挿入孔の中央部に向かって凹む凹部を有する光通信用アダプタは、光ファイバ接続用コネクタの挿入によって一方のシャッタ部材のシャッタ板がその弾性力に抗して倒れたとしても、凹部によって一方のシャッタ板の倒れ込みの力が横方向へ並ぶ他方のシャッタ板に伝わることはなく、一方のシャッタ板が倒れたとしても、他方のシャッタ板がそれに追従して倒れることがなく、他方のシャッタ板によって他方の挿入孔を確実に遮蔽することができる。
【００３０】
シャッタ板の曲率半径が５．０〜７．５の範囲にある光通信用アダプタは、シャッタ板の曲率半径が前記範囲にあるから、光ファイバ接続用コネクタを挿入孔に挿入したときに、シャッタ板の延出端のエッジがコネクタのフェルールに接触することなく、シャッタ板の延出端のエッジがコネクタのフェルールに接触することによるフェルールの傷付きを防ぐことができる。このアダプタは、シャッタ板が挿入孔の中央部に向かって前記曲率半径で湾曲するから、シャッタ板の弾性力（反発力）が均一に分散してシャッタ板の耐久性が向上し、シャッタ板が倒れ込みと起き上がりとを繰り返したとしても、シャッタ板の弾性力が低下することはなく、繰り返しの使用においてもシャッタ板を利用して挿入孔を確実に遮蔽することができる。
【００３１】
シャッタ部材の厚み寸法が０．０１〜０．１ｍｍの範囲にあり、シャッタ板の弾性反発力が０．１〜０．６Ｎの範囲にある光通信用アダプタは、シャッタ部材の厚み寸法が前記範囲にあるから、プレス成形加工によって同形同大のシャッタ部材を短時間に大量に製作することができ、低い製作コストでシャッタ部材を製作することができ、その結果、アダプタ自体を低い単価で作ることができる。このアダプタは、シャッタ板の弾性反発力が前記範囲にあるから、その挿入孔に光ファイバ接続用コネクタを挿入したときに、シャッタ部材のシャッタ板が挿入孔の中央部に向かって確実に倒れ、シャッタ板による遮蔽を確実に解除することができる。また、コネクタを挿入孔から抜き取ったときに、シャッタ板がその弾性力によって確実に起き上がるから、挿入孔を確実に遮蔽することができる。
【図面の簡単な説明】
【００３２】
【図１】一例として示す光通信用アダプタの斜視図。
【図２】アダプタの底壁を示す底面図。
【図３】アダプタの側壁を示す側面図。
【図４】シャッタ部材とストッパー部材とを取り付ける以前のアダプタの底壁を示す底面図。
【図５】シャッタ部材とストッパー部材とを取り付ける以前のアダプタの側壁を示す側面図。
【図６】一例として示すシャッタ部材の斜視図。
【図７】一例として示すストッパー部材の斜視図。
【図８】図１の８−８線矢視断面図。
【図９】光通信用アダプタの挿入孔の端部に対する光ファイバ接続用コネクタの挿入過程を示す図８と同様の矢視断面図。
【図１０】光通信用アダプタの挿入孔の両端部に光ファイバ接続用コネクタを挿入した後の図８と同様の矢視断面図。
【図１１】他の一例として示す光通信用アダプタの斜視図。
【図１２】アダプタの底壁を示す底面図。
【図１３】シャッタ部材とストッパー部材とを取り付ける以前のアダプタの底壁を示す底面図。
【図１４】他の一例として示すシャッタ部材の斜視図。
【図１５】他の一例として示すストッパー部材の斜視図。
【発明を実施するための形態】
【００３３】
一例として示す光通信用アダプタの斜視図である図１等の添付の図面を参照し、本発明に係る光通信用アダプタの詳細を説明すると、以下のとおりである。なお、図２は、アダプタ１０Ａの底壁１２を示す底面図であり、図３は、アダプタ１０Ａの側壁１３を示す側面図である。図４は、シャッタ部材１７（遮蔽金具）とストッパー部材１８（係止金具）とを取り付ける以前のアダプタ１０Ａの底壁１２を示す底面図であり、図５は、シャッタ部材１７とストッパー部材１８とを取り付ける以前のアダプタ１０Ａの側壁１３を示す側面図である。図６は、一例として示すシャッタ部材１７の斜視図であり、図７は、一例として示すストッパー部材１８の斜視図である。図８は、図１の８−８線矢視断面図である。図１〜３，６，７では、前後方向を矢印Ａ、横方向を矢印Ｂで示し、上下方向を矢印Ｃで示す。
【００３４】
光通信用アダプタ１０Ａは、半導体レーザ等の光発信装置から発信されるレーザ光（光信号）を光ファイバを利用して伝送する光通信において、光ファイバ等を接続する接続手段として利用される。アダプタ１０Ａは、合成樹脂あるいは亜鉛ダイカスト等の金属から作られたハウジングであり、図４，５に一点鎖線で示す中心線Ｌを挟んでその形状が対称型に成形されている（その形状が鏡像関係にある）。
【００３５】
アダプタ１０Ａは、上下方向へ離間対向して前後方向へ延びる頂底壁１１，１２と、横方向へ離間対向して前後方向へ延びる両側壁１３，１４と、それら壁１１〜１４に囲繞されて前後方向へ貫通する挿入孔１５と、挿入孔１５に設置されたスリーブホルダ５７および光接続用割りスリーブ１６と（図８参照）、金属製（たとえば、ばね用ステンレス鋼板）のシャッタ部材１７および金属製（たとえば、ばね用ステンレス鋼板）のストッパー部材１８とを有する。両側壁１３，１４は、頂底壁１１，１２に直交してそれら壁１１，１２につながっている。
【００３６】
挿入孔１５は、前後方向へ離間対向する一対の両端部１９，２０と、それら両端部１９，２０の間に位置する中央部２１とを有する。挿入孔１５には、後記する光ファイバ接続用コネクタ５８が着脱可能に挿入される。スリーブホルダ５７は、中空円柱状に成形され、挿入孔１５の中央部２１に位置して前後方向へ延びている。光接続用割りスリーブ１６は、挿入孔１５の中央部２１に位置し、スリーブホルダ５７の内側に保持された状態で前後方向へ延びている。スリーブ１６は、光ファイバ接続用コネクタ５８を挿入孔１５に挿入したときに、コネクタ５８の端部から露出する円柱状のフェルール６２を支持する（図１０参照）。
【００３７】
アダプタ１０Ａの両端部１９，２０には、光ファイバ接続用コネクタ５８の係合部材６１（図９，１０参照）が着脱可能に係合する２つの係合部２２，２３（図８参照）が作られている。それら係合部２２，２３は、アダプタ１０Ａを前後方向に二分する中心線Ｌを挟んで両端部１９，２０に対称型に作られている（係合部２２，２３が鏡像関係にある）。それら係合部２２，２３は、両側壁１３，１４に形成されて両端部１９，２０から中央部２１に向かって前後方向へ延びる第１フランジ２４と、頂壁１１と両側壁１３，１４との交差箇所に形成されて両端部１９，２０から中央部２１に向かって前後方向へ延びる第２フランジ２５と、それらフランジ２４，２５の間に位置して前後方向へ延びる案内溝２６と、頂壁１１に形成されてコネクタ５８の係合部材６１の係入突起６９（図９，１０参照）が着脱可能に係入する係入開口部２７とから形成されている。第２フランジ２５は、両端部１９，２０から中央部２１に向かって上下方向下方へ傾斜している。
【００３８】
アダプタ１０Ａの底壁１２の外面には、中心線Ｌを挟んで前後方向に並ぶ２つの底壁凹部２８が作られている。それら底壁凹部２８は、中心線Ｌを挟んで対称型に作られている（底壁凹部２８が鏡像関係にある）。アダプタ１０Ａの底壁１２の両端面２９には、挿入孔１５の中央部２１に向かって凹む２つの端面凹部３０が作られている。それら端面凹部３０は、中心線Ｌを挟んで対称型に作られている（端面凹部３０が鏡像関係にある）。
【００３９】
底壁凹部２８は、図４に示すように、挿入孔１５の両端部１９，２０の側（中心線Ｌの前後方向前方）に位置して底壁１２の外面から内面に向かって上下方向へ凹む略矩形の底壁第１凹部３１と、中央部２１の側（底壁第１凹部３１の前後方向後方）に位置して底壁１２の外面から内面に向かって上下方向へ凹む略矩形の底壁第２凹部３２と、底壁第１凹部３１よりも底壁１２の両端面２９の側（底壁第１凹部３１の前後方向前方）に位置して底壁１２の外面から内面に向かって上下方向へ凹む略矩形の底壁第３凹部３３と、底壁第１凹部３１および底壁第３凹部３３につながる底壁第１段差部３４と、底壁第１凹部３１および底壁第２凹部３２につながる底壁第２段差部３５とから形成されている。
【００４０】
底壁第１凹部３１は、中心線Ｌを挟んで対称型に作られている（底壁第１凹部３１が鏡像関係にある）。底壁第２凹部３２は、中心線Ｌを挟んで対称型に作られている（底壁第２凹部３２が鏡像関係にある）。底壁第２凹部３２は、その凹み深さ（底壁１２の外面から内面に向かう底壁第２凹部３２の凹み寸法）が底壁第１凹部分３１のそれよりも浅く、底壁第３凹部３３のそれよりも深い。
【００４１】
底壁第３凹部３３は、中心線Ｌを挟んで対称型に作られている（底壁第３凹部３３が鏡像関係にある）。底壁第３凹部３３は、その凹み深さ（底壁１２の外面から内面に向かう底壁第３凹部３３の凹み寸法）が底壁第２凹部３２のそれよりも浅い。底壁第３凹部３３では、その横方向両端縁が底壁１２の内側に位置し、第３凹部３３の横方向両端縁と底壁１２との間に段差が生じ、底壁１２が第３凹部３３に対する障壁となっている。底壁第２凹部３２と底壁１２との間に残差が生じ、底壁１２が第２凹部３２に対する障壁となっている。底壁第１凹部３１と底壁第２凹部３２との間に残差が生じ、第２凹部３２が第１凹部３１に対する障壁となり、底壁第１凹部３１と底壁第３凹部３３との間に残差が生じ、第３凹部３３が第１凹部３１に対する障壁となっている。
【００４２】
アダプタ１０Ａの底壁１２の内面には、中心線を挟んで前後方向に並ぶ２つの収容凹部５６が作られている（図８参照）。それら収容凹部５６は、中心線Ｌを挟んで対称型に作られている（収容凹部５６が鏡像関係にある）。収容凹部５６は、底壁１２の内面から外面に向かって上下方向へ凹んでいる。それら収容凹部５６は、その平面形状がシャッタ部材１７の後記する折曲部５１および湾曲部５２のそれよりもわずかに大きく、折曲部５１および湾曲部５２を収容可能である。
【００４３】
アダプタ１０Ａの両側壁１３，１４の外面には、それらの外面から内面に向かって横方向へ凹む側壁凹部３６が作られている。側壁凹部３６は、一方の側壁１３と他方の側壁１４とにおいて同一形状に作られ、中心線Ｌを挟んで対称型に作られている（側壁凹部３６が鏡像関係にある）。側壁凹部３６は、図５に示すように、底壁１２の側に位置して底壁第２凹部３２につながる側壁第１凹部３７と、側壁第１凹部３７の内側に位置して底壁第１凹部３１につながる側壁第２凹部３８とから形成されている。
【００４４】
側壁第２凹部３８は、その凹み深さ（両側壁１３，１４の外面から内面に向かう第２凹部３８の凹み寸法）が側壁第１凹部３７のそれよりも深い。側壁第２凹部３８は、底壁第１凹部３１につながって前後方向の幅寸法が狭い幅狭い部分３９と、幅狭い部分３９につながって前後方向の幅寸法が幅狭い部分３８のそれよりも広い幅広い部分４０とを有する。側壁第１凹部３７と両側壁１３，１４との間に残差が生じ、両側壁１３，１４が第１凹部３７に対する障壁となっている。側壁第１凹部３７と側壁第２凹部３８との間に残差が生じ、第１凹部３７が第２凹部３７に対する障壁となっている。
【００４５】
シャッタ部材１７は、図６に示すように、略矩形の底板４１（第１底板）と、底板４１の両側縁から上方へ延びる両側板４２（第１両側板）と、両側板４２の間に位置して底板４１の前端縁から上方へ延びる連結板４３と、連結板４３につながって底板４１から上方へ延びるシャッタ板４４とから形成されている。シャッタ部材１７の底板４１は、前後方向前方（挿入孔１５の両端部１９，２０の側）に位置する第１嵌合部４５と、前後方向後方（挿入孔１５の中央部２１の側）に位置する第２嵌合部４６と、第１および第２嵌合部４５，４６の間に位置する段差嵌合部４７とを有する。
【００４６】
底板４１の第１嵌合部４５は、その平面形状が底壁第３凹部３３の形状と略同形同大であり、第２嵌合部４６は、その平面形状が底壁第１凹部３１の形状と略同形同大である。段差嵌合部４７は、その平面形状が底壁第１段差部３４の形状と略同形同大である。シャッタ部材１７の両側板４２は、その平面形状が側壁第２凹部３８の形状と略同形同大である。両側板４２は、底板４１につながって前後方向の幅寸法が狭い幅狭い部分４８と、幅狭い部分４８につながって前後方向の幅寸法が幅狭い部分４８のそれよりも広い幅広い部分４９とを有する。幅狭い部分４８は、その平面形状が側壁第２凹部３８の幅狭い部分３９と略同形同大である。幅広い部分４９は、その平面形状が側壁第２凹部３８の幅広い部分４０と略同形同大である。
【００４７】
シャッタ板４４は、連結板４３の側を基端として弾性変形可能である。シャッタ板４４は、その基端に位置して連結板４３につながる固定部５０と、その延出端に位置する折曲部５１と、固定部５０と折曲部５１との間に位置する湾曲部５２とを有する。折曲部５１は、挿入孔１５の中央部２１に向かって所定角度で折れ曲がっている。湾曲部５２は、所定の曲率半径を有して挿入孔１５の中央部２１に向かって凸となるように円弧を画いている。
【００４８】
シャッタ部材１７は、図１に示すように、挿入孔１５の両端部１９，２０に着脱可能に固定されている。シャッタ部材１７の両端部１９，２０への設置手順は、シャッタ部材１７の両側板４２をその弾性力に抗して横方向外方へ押し広げた後、シャッタ板４４が挿入孔１５の両端部１９，２０の内側に位置するとともに、連結板４３が底壁端面２９の端面凹部３０に位置するように、シャッタ部材１７の位置決めを行い、両側板４２を側壁第２凹部３８に嵌め込む。両側板４２を側壁第２凹部３８に嵌め込むと、シャッタ部材１７の底板４１が底壁凹部２８に嵌め込まれる。
【００４９】
シャッタ部材１７の底板４１の第１嵌合部４５は、底壁第３凹部３３に嵌め込まれ、第３凹部３３の全体に嵌合かつ密着している。第１嵌合部４５が底壁第３凹部３３に嵌め込まれた状態では、第１嵌合部３１の外面と底壁１２の外面とが略同一平面になっている。シャッタ部材１７の底板４１の第２嵌合部４６は、底壁第１凹部３１に嵌め込まれ、第１凹部３１の全体に嵌合かつ密着している。第２嵌合部４６が底壁第１凹部３１に嵌め込まれた状態では、第２嵌合部４６の外面と底壁第２凹部３２とが略同一平面になっている。シャッタ部材１７の底板４１の段差嵌合部４７は、底壁第１段差部３４に嵌合かつ密着している。
【００５０】
シャッタ部材１７の両側板４２は、側壁第２凹部３８に嵌め込まれ、第２凹部３８に嵌合かつ密着している。両側板４２が側壁第２凹部３８に嵌め込まれた状態では、両側板４２の外面と側壁第１凹部３７の外面とが略同一平面になっている。両側板４２の幅狭い部分４８は、側壁第２凹部３８の幅狭い部分３９に嵌め込まれ、部分３９の全体に嵌合かつ密着し、両側板４２の狭い幅広い部分４９は、側壁第２凹部３８の幅広い部分４０に嵌め込まれ、部分４０に嵌合かつ密着している。
【００５１】
シャッタ部材１７の連結板４３は、底壁端面２９の端面凹部３０に嵌合かつ密着している。シャッタ部材１７のシャッタ板４４のうちの折曲部５１と湾曲部５２とは、挿入孔１５の両端部１９，２０に位置して挿入孔１５を遮蔽している。シャッタ部材１７では、底板４１の第１嵌合部４５とシャッタ板４４の固定部５０とがアダプタ１０Ａの底壁１２の内外面を挟み込んでいる。
【００５２】
ストッパー部材１８は、図７に示すように、略矩形の底板５３（第２底板）と、底板５３の両側縁から上方へ延びる両側板５４（第２両側板）と、両側壁５４に形成されて横方向外方へ末広がりに傾斜して延びる係止板５５とから形成されている。ストッパー部材１８の底板５３は、その平面形状が底壁第１凹部分３１と底壁第２凹部３２とを合わせた形状と略同形同大である。ストッパー部材１８の両側板５４は、その平面形状が側壁第１凹部３７と側壁第２凹部３８とを合わせた形状と略同形同大である。
【００５３】
ストッパー部材１８の端部２０への設置手順は、ストッパー部材１８の両側板５４をその弾性力に抗して横方向外方へ押し広げた後、ストッパー部材１８がシャッタ部材１７の上に重なるようにストッパー部材１８の位置決めを行い、両側板５４を側壁第１凹部３７に嵌め込む。両側板５４を側壁第１凹部３７に嵌め込むと、ストッパー部材１８の底板５３が底壁凹部２８に嵌め込まれる。
【００５４】
ストッパー部材１８は、シャッタ部材１７の上に重なった状態で、アダプタ１０Ａの一方の端部２０に着脱可能に固定されている。ストッパー部材１８の底板５３は、シャッタ部材１７の底板４１の第２嵌合部４６の上に重なった状態で、底壁第２凹部３２に嵌め込まれ、第２凹部３２の全体に嵌合かつ密着している。底板５３が底壁第２凹部３２に嵌め込まれた状態では、底板５３の外面と底壁１２の外面とが略同一平面になっている。ストッパー部材１８の両側板５４は、シャッタ部材１７の両側板４２の上に重なった状態で、側壁第１凹部３７に嵌め込まれ、第１凹部３７の全体に嵌合かつ密着している。両側板５４が側壁第１凹部３７に嵌め込まれた状態では、両側板５４の外面と両側壁１３，１４の外面とが略同一平面になっている。
【００５５】
図９は、光通信用アダプタ１０Ａの挿入孔１５の端部１９に対する光ファイバ接続用コネクタ５８の挿入過程を示す図８と同様の矢視断面図であり、図１０は、光通信用アダプタ１０Ａの挿入孔１５の両端部１９，２０に光ファイバ接続用コネクタ５８を挿入した後の図８と同様の矢視断面図である。図９では、他方の端部２０の図示を省略している。アダプタ１０Ａは、図示はしていないが、ストッパー部材１８の係止板５５を利用して光通信に使用する取り付けパネルや各種装置、各種機器の所定の箇所に取り付けられる。
【００５６】
光ファイバ接続用コネクタ５８は、図９，１０に示すように、光ファイバ５９を固定する鞘部材６０と、アダプタ１０Ａの係合部２２，２３に着脱可能に係合する係合部材６１とから形成されている。コネクタ５８の先端からは、フェルール６２の一部が露出している。鞘部材６０は、合成樹脂から作られて可撓性を有し、光ファイバ５９の外周面全域を包被している。係合部材６１は、合成樹脂から作られた弾性変形可能な摘み部６３と、合成樹脂から作られた弾性変形可能な係合部６４とを有する。
【００５７】
摘み部６３は、鞘部材６０の中央に位置して鞘部材６０の外面に固定された基端部分６５と、基端部分６５から上下方向上方へ傾斜して前後方向へ延びる自由部分６６とを有する。係合部６４は、鞘部材６０の前端に位置して鞘部材６０の外面に固定された基端部分６７と、基端部分６７から上下方向上方へ傾斜して前後方向へ延びる自由部分６８とを有する。係合部６４の自由部分６８は、その延出端が摘み部６３の自由部分６６の延出端の下に重なっている。係合部６４の自由部分６８の横方向両側には、横方向外方へ凸となる係入突起６９が形成されている。
【００５８】
コネクタ５８では、摘み部６３を上下方向下方へ押圧すると、摘み部６３がその基端部分６５を旋回軸としてその自由部分６６が上下方向下方へ旋回するとともに、自由部分６６の旋回に伴って、係合部６４がその基端部分６７を旋回軸としてその自由部分６８が上下方向下方へ旋回し、係入突起６９が上下方向下方へ移動する。
【００５９】
光ファイバ接続用コネクタ５８を光通信アダプタ１０Ａの挿入孔１５の両端部１９，２０に挿入していない状態では、図８に示すように、シャッタ部材１７のシャッタ板４４（折曲部５１および湾曲部５２）が上下方向上方へ起立して両端部１９，２０を塞いでいる。図９に矢印Ｘ１で示すように、コネクタ５８をアダプタ１０Ａの挿入孔１４の端部１９に押し込むと、コネクタ５８の鞘部材６０が端部１９のうちの第１フランジ２４の下方に開口する端部１９に次第に進入するとともに、コネクタ５８の係合部材６１の係合部６４が第１および第２フランジ２４，２５の間の案内溝２６に次第に進入する。
【００６０】
鞘部材６０が端部１９に進入すると、鞘部材６０の下端縁がシャッタ板４４の湾曲部５２に当接し、鞘部材６０の下端縁が湾曲部５２を挿入孔１５の中央部２１に向かって押圧する（前後方向後方へ押圧する）。また、コネクタ５８の係合部材６１の係合部６４が案内溝２６に次第に進入すると、係合部６４が第２フランジ２５に当接かつ摺動し、第２フランジ２５が係合部６４を上下方向下方へ向かって押圧する。
【００６１】
鞘部材６０が湾曲部５２を押圧すると、図９に矢印Ｘ２で示すように、鞘部材６０がシャッタ板４４の湾曲部５２の弾性力に抗して湾曲部５２を弾性変形させる。湾曲部５２は、弾性変形しつつ挿入孔１５の中央部２１に向かって次第に倒れる。第２フランジ２５が係合部６４を押圧すると、第２フランジ２５が係合部６４の弾性力に抗して係合部６４を弾性変形させる。係合部６４は、弾性変形しつつその基端部分６７を旋回軸としてその自由部分６８が上下方向下方へ旋回し、係入突起６９が上下方向下方へ移動する。
【００６２】
コネクタ５８をアダプタ１０Ａの挿入孔１５の端部１９にさらに押し込むと、係合部６４の自由部分６８が上下方向下方へさらに旋回し、係合部６４の自由部分６８の係入突起６９が頂壁１１の係入開口部２７の位置に来ると、係合部６４の自由部分６８がその弾性力（反発力）によって上下方向上方へ変形するとともに、自由部分６８の係入突起６９が頂壁１１の係入開口部２７に係入する。係入突起６９が係入開口部２７に係入すると、図１０に示すように、コネクタ５８のアダプタ１０Ａの挿入孔１５の両端部１９，２０への挿入が完了し、シャッタ板４４の折曲部５１および湾曲部５２が倒れ、折曲部５１および湾曲部５２が収容凹部５６に収容されるとともに、コネクタ５８から露出するフェルール６２がスリーブ１６に収容される。なお、コネクタ５８をアダプタ１０Ａの挿入孔１５の両端部１９，２０に挿入すると、スリーブ１６内においてフェルール６２どうしが当接し、光ファイバ５９どうしが光接続される。
【００６３】
コネクタ５８を両端部１９，２０から取り外すには、係合部材６１の摘み部６３を上下方向下方へ押圧する。摘み部６３を上下方向下方へ押圧すると、摘み部６３がその基端部分６５を旋回軸としてその自由部分６６が上下方向下方へ旋回するとともに、自由部分６６の旋回に伴って、係合部６４がその基端部分６７を旋回軸としてその自由部分６８が上下方向下方へ旋回し、係入突起６９が上下方向下方へ移動する。係入突起６９が上下方向下方へ移動すると、係入突起６９が係入開口部２７から外れ、その状態でコネクタ５８をアダプタ１０Ａから引き抜く方向へ引っ張る。
【００６４】
コネクタ５８をアダプタ１０Ａから引き抜く方向へ引っ張ると、コネクタ５８の係合部材６１の係合部６４が案内溝２６を摺動するとともに、鞘部材６０が両端部１９，２０を摺動し、鞘部材６０と係合部材６１とが両端部１９，２０から次第に引き抜かれる。それに伴ってシャッタ板４４の湾曲部５２がその弾性力（反発力）により、次第に起立し、コネクタ５８をアダプタ１０Ａから完全に抜き取ると、折曲部５１と湾曲部５２とが完全に起立してコネクタ５８を挿入する以前の状態に復帰し、折曲部５１と湾曲部５２とがアダプタ１０Ａの挿入孔１５を遮蔽する。
【００６５】
光通信用アダプタ１０Ａは、その挿入孔１５に光ファイバ接続用コネクタ５８を挿入すると、シャッタ部材１７のシャッタ板４４の折曲部５１および湾曲部５２がコネクタ５８に押圧されて挿入孔１５の中央部２１に向かって倒れるから、シャッタ板４４による遮蔽が解除され、光ファイバ５９どうしを光接続させることができる。また、コネクタ５８を挿入孔１５から抜き取ると、シャッタ板４４がその弾性力によって起き上がり、挿入孔１５を再び遮蔽するから、アダプタ１０Ａにおける光の漏出を確実に防ぐことができる。
【００６６】
アダプタ１０Ａでは、シャッタ部材１７のシャッタ板４４の湾曲部５２の曲率半径が５．０〜７．５の範囲にある。曲率半径が５．０未満では、光ファイバ接続用コネクタ５８を挿入孔１５に挿入したときに、シャッタ板４４の湾曲部５２がコネクタ５８のフェルール６２に接触する場合があり、それによってフェルール６２に傷が付く場合がある。曲率半径が７．５を超過すると、シャッタ板４４を利用して挿入孔１５の両端部１９，２０を完全に遮蔽することができない場合がある。
【００６７】
アダプタ１０Ａは、シャッタ板４４の湾曲部５２の曲率半径が前記範囲にあるから、光ファイバ接続用コネクタ５８を挿入孔１５の両端部１９，２０に挿入したときに、シャッタ板４４がコネクタ５８のフェルール６２に接触することなく、シャッタ板４４がフェルール６２に接触することによるフェルール６２の傷付きを防ぐことができる。アダプタ１０Ａは、シャッタ板４４の湾曲部５２が挿入孔１５の中央部２１に向かって前記曲率半径で湾曲しているから、シャッタ板４４の湾曲部５２の弾性力が均一に分散してシャッタ板４４の耐久性が向上し、シャッタ板４４が倒れ込みと起き上がりとを繰り返したとしても、シャッタ板４４の弾性力が低下することはなく、繰り返しの使用においてシャッタ板４４を利用して挿入孔１５を確実に遮蔽することができる。
【００６８】
アダプタ１０Ａでは、シャッタ部材１７の厚み寸法が０．０１〜０．１ｍｍの範囲、好ましくは、０．０２〜０．０６ｍｍの範囲、より好ましくは、０．０３〜０．０３５ｍｍの範囲にある。また。シャッタ板４４の湾曲部５２の弾性反発力が０．１〜０．６Ｎの範囲、好ましくは、０．２〜０．４Ｎの範囲にある。シャッタ部材１７の厚み寸法が０．１ｍｍを超過すると、シャッタ板４４の湾曲部５２の弾性反発力が必要以上に高くなり、湾曲部５２が倒れ難く、コネクタ５８をアダプタ１０Ａの挿入孔１５の両端部１９，２０に円滑に挿入することができない場合がある。シャッタ部材１７の厚み寸法が０．０１ｍｍ未満では、シャッタ部材１７の強度が低下し、シャッタ板４４が倒れ込みと起き上がりとを繰り返したときに、シャッタ板４４の湾曲部５２の弾性力が早期に低下する場合があり、シャッタ板４４を利用して挿入孔１５を遮蔽することができない場合がある。
【００６９】
シャッタ板４４の湾曲部５２の弾性反発力が０．６Ｎを超過すると、湾曲部５２が倒れ難くなり、コネクタ５８をアダプタ１０Ａの挿入孔１５の両端部１９，２０に円滑に挿入することができない場合がある。シャッタ板４４の湾曲部５２の弾性反発力が０．１Ｎ未満では、シャッタ板４４が倒れ込みと起き上がりとを繰り返したときに、シャッタ板４４の湾曲部５２の弾性力が早期に低下する場合があり、シャッタ板４４を利用して挿入孔１５を遮蔽することができない場合がある。
【００７０】
アダプタ１０Ａは、シャッタ部材１７の厚み寸法が前記範囲にあるから、プレス成形加工によって同形同大のシャッタ部材１７を短時間に大量に製作することができ、低い製作コストでシャッタ部材１７を製作することができる。その結果、アダプタ１０Ａ自体を低い単価で作ることができる。また、コネクタ５８をアダプタ１０Ａの挿入孔１５に円滑に挿入することができ、シャッタ板４４が倒れ込みと起き上がりとを繰り返したとしても、シャッタ板４４の湾曲部５２の弾性力が低下することはなく、シャッタ板４４を利用して挿入孔１５を確実に遮蔽することができる。
【００７１】
アダプタ１０Ａは、シャッタ板４４の弾性反発力が前記範囲にあるから、その挿入孔１５に光ファイバ接続用コネクタ５８を挿入したときに、シャッタ部材１７のシャッタ板４４が挿入孔１５の中央部２１に向かって確実に倒れるから、シャッタ板４４による遮蔽を確実に解除することができる。また、コネクタ５８を挿入孔１５から抜き取ったときに、シャッタ板４４の湾曲部５２がその弾性力（反発力）によって確実に起き上がるから、挿入孔１５を確実に遮蔽することができる。
【００７２】
アダプタ１０Ａは、シャッタ部材１７が底板４１と底板４１の両側縁から上方へ延びる両側板４２と底板４１の前端縁から上方へ延びる連結板４３と連結板につながって所定の曲率半径で湾曲するシャッタ板４４とから作られるから、シャッタ部材１７の部品点数が少なく、それをプレス成形加工によって製作する場合であっても、加工の難易度が低く、プレス成形加工によって同形同大のシャッタ部材１７を短時間に大量に製作することができる。アダプタ１０Ａは、ストッパー部材１８が底板５３と底板５３の両側縁から上方へ延びる両側板５４と両側板５４に形成された係止板５５とから作られるから、プレス成形加工によってシャッタ部材１７のみならずストッパー部材１８を短時間に大量に製作することができ、低い製作コストでシャッタ部材１７やストッパー部材１８を製作することができ、その結果、アダプタ１０Ａ自体を低い単価で作ることができる。
【００７３】
アダプタ１０Ａは、シャッタ部材１７の底板４１をアダプタ１０Ａの底壁１２の外面に形成された底壁凹部２８に嵌合させ、シャッタ部材１７の両側板４２を両側壁１３，１４の外面に形成された側壁凹部３６に嵌合させることで、シャッタ部材１７をアダプタ１０Ａに簡単に取り付けることができる。アダプタ１０Ａは、ストッパー部材１８がシャッタ部材１７の上に重なるように、ストッパー部材１８の底板５３をアダプタ１０Ａの底壁１２の外面に形成された底壁凹部２８に嵌合させ、ストッパー部材１８の両側板５４を両側壁１３，１４の外面に形成された側壁凹部３６に嵌合させることで、ストッパー部材１８をアダプタ１０Ａに簡単に取り付けることができる。アダプタ１０Ａは、シャッタ部材１７やストッパー部材１８のアダプタ１０Ａに対する取り付けが容易であり、アダプタ１０Ａの組み立てに手間や時間がかからず、その結果、アダプタ１０Ａ自体を低い単価で作ることができる。
【００７４】
アダプタ１０Ａは、シャッタ部材１７の底板４１の第１嵌合部４５が底壁第３凹部３３に嵌合し、底板４１の第２嵌合部４６が底壁第１底凹３１に嵌合するとともに、底板４１の段差嵌合部４７が底壁段差部３４に嵌合するから、シャッタ部材１７がアダプタ１０Ａに確実に固定され、シャッタ部材１７のずれ動きやシャッタ部材１７のアダプタ１０Ａからの抜脱を防ぐことができ、シャッタ部材１７を利用して挿入孔１５を確実に遮蔽することができる。このアダプタ１０Ａは、シャッタ部材１７の底板４１に形成された段差嵌合部４７がリブとして機能するから、底板４１の捩れや折れ曲がりを防ぐことができ、底板４１を底壁１２の底凹部２８に確実に密着させることができ、シャッタ部材１７をアダプタ１０Ａに確実に固定することができる。
【００７５】
アダプタ１０Ａは、底板４１とシャッタ板４４の固定部５０とが底壁１２の内外面を挟み込んだ状態となるから、シャッタ部材１７がアダプタ１０Ａに確実に固定され、シャッタ部材１７のずれ動きやシャッタ部材１７のアダプタ１０Ａからの抜脱を防ぐことができ、シャッタ部材１７を利用して挿入孔１５を確実に遮蔽することができる。アダプタ１０Ａは、シャッタ部材１７のシャッタ板４４の折曲部５１が挿入孔１５の中央部２１に向かって所定角度で折れ曲がるから、光ファイバ接続用コネクタ５８を挿入孔１５に挿入したときに、シャッタ板４４の延出端のエッジがコネクタ５８に接触することなく、シャッタ板４４の延出端のエッジがコネクタ５８に接触することによるコネクタ５８の傷付きを防ぐことができる。アダプタ１０Ａは、シャッタ板４４の湾曲部５２が挿入孔１５の中央部２１に向かって凸となるように湾曲するから、湾曲部５２によってシャッタ板４４の弾性力が均一に分散してシャッタ板４４の耐久性が向上し、シャッタ板４４が倒れ込みと起き上がりとを繰り返したとしても、シャッタ板４４の弾性力が低下することはなく、繰り返しの使用においてシャッタ板４４を利用して挿入孔１５を確実に遮蔽することができる。
【００７６】
図１１は、他の一例として示す光通信用アダプタ１０Ｂの斜視図であり、図１２は、アダプタ１０Ｂの底壁１２を示す底面図である。図１３は、シャッタ部材１７（遮蔽金具）とストッパー部材１８（係止金具）とを取り付ける以前のアダプタ１０Ｂの底壁１２を示す底面図であり、図１４は、他の一例として示すシャッタ部材１７の斜視図である。図１５は、他の一例として示すストッパー部材１８の斜視図である。図１１，１４，１５では、前後方向を矢印Ａ、横方向を矢印Ｂで示し、上下方向を矢印Ｃで示す。
【００７７】
この光通信用アダプタ１０Ｂが図１のそれと異なるところは、仕切壁７０を有する点、仕切板７０を挟んで横方向へ並ぶ２つの挿入孔１５を有する点、シャッタ部材１７が底板４１を共有しつつ横方向へ並ぶ２つの連結板４３とシャッタ板４４とを有する点にあり、このアダプタ１０Ｂのその他の構成は図１のアダプタ１０Ａと同一であるから、図１のアダプタ１０Ａと同一の符号を付すとともに、図１のアダプタ１０Ａの説明を援用することで、このアダプタ１０Ｂのその他の構成の詳細な説明は省略する。
【００７８】
アダプタ１０Ｂは、前後方向へ延びる頂底壁１１，１２および両側壁１３，１４と、両側壁１３，１４の間に位置して前後方向へ延びる仕切壁７０と、それら壁１１〜１４，７０に囲繞されて前後方向へ貫通する２つの挿入孔１５と、それら挿入孔１５の中央部２１に設置された２つのスリーブホルダ５７および２つの光接続用割りスリーブ１６と（図８援用）、シャッタ部材１７およびストッパー部材１８とを有する。アダプタ１０Ａの挿入孔１５の両端部１０，２０には、光ファイバ接続用コネクタ５８の係合部材６１（図９援用）が着脱可能に係合する４つの係合部２２，２３が作られている（図８援用）。
【００７９】
それら係合部２２，２３は、両側壁１３，１４と仕切壁７０とに形成されて両端部１９，２０から中央部２１に向かって前後方向へ延びる第１フランジ２４と、頂壁１１および両側壁１３，１４の交差箇所と頂壁１１および仕切壁７０の交差箇所とに形成されて両端部１９，２０から中央部２１に向かって前後方向へ延びる第２フランジ２５と、それらフランジ２４，２５の間に位置して前後方向へ延びる案内溝２６と、頂壁１１に形成されてコネクタ５８の係合部材６１の係入突起６９（図９，１０援用）が着脱可能に係入する係入開口部２７とから形成されている。第２フランジ２５は、両端部１９，２０から中央部２１に向かって上下方向下方へ傾斜している。
【００８０】
アダプタ１０Ｂの底壁１２の外面には、底壁１２の内面に向かって上下方向へ凹む２つの底壁凹部２８が作られている。それら底壁凹部２８は、中心線Ｌを挟んで対称型に作られている。アダプタ１０Ｂの底壁１２の両端面２９には、挿入孔１５の中央部２１に向かって凹む４つの端面凹部３０が作られている。それら端面凹部３０は、中心線Ｌを挟んで対称型に作られている。
【００８１】
底壁凹部２８は、図１３に示すように、挿入孔１５の両端部１９，２０の側に位置する底壁第１凹部３１と、中央部２１の側に位置する底壁第２凹部３２と、底壁第１凹部３１よりも両端面２９の側に位置する底壁第３凹部３３と、底壁第１凹部３１および底壁第３凹部３３につながる底壁第１段差部３４と、底壁第１凹部３１および底壁第２凹部３２につながる底壁第２段差部３５とから形成されている。
【００８２】
底壁第１凹部３１は、中心線Ｌを挟んで対称型に作られている。底壁第２凹部３２は、中心線Ｌを挟んで対称型に作られている。底壁第２凹部３２は、その凹み深さが底壁第１凹部分３１のそれよりも浅く、底壁第３凹部３３のそれよりも深い。底壁第３凹部３３は、中心線Ｌを挟んで対称型に作られている。底壁第３凹部３３は、その凹み深さが底壁第２凹部３２のそれよりも浅い。
【００８３】
底壁第３凹部３３では、その横方向両端縁が底壁１２の内側に位置し、第３凹部３３の横方向両端縁と底壁１２との間に段差が生じ、底壁１２が第３凹部３３に対する障壁となっている。底壁第２凹部３２と底壁１２との間に残差が生じ、底壁１２が第２凹部３２に対する障壁となっている。底壁第１凹部３１と底壁第２凹部３２との間に残差が生じ、第２凹部３２が第１凹部３１に対する障壁となり、底壁第１凹部３１と底壁第３凹部３３との間に残差が生じ、第３凹部３３が第１凹部３１に対する障壁となっている。
【００８４】
アダプタ１０Ｂの底壁１２の内面には、底壁１２の内面から外面に向かって上下方向へ凹む４つの収容凹部５６が作られている（図８援用）。それら収容凹部５６は、中心線Ｌを挟んで対称型に作られている。それら収容凹部５６は、その平面形状がシャッタ部材１７の折曲部５１および湾曲部５２のそれよりもわずかに大きく、折曲部５１および湾曲部５２を収容可能である。
【００８５】
アダプタ１０Ｂの両側壁１３，１４の外面には、それらの外面から内面に向かって横方向へ凹む側壁凹部３６が作られている（図４援用）。側壁凹部３６は、一方の側壁１３と他方の側壁１４とにおいて同一形状に作られ、中心線Ｌを挟んで対称型に作られている。側壁凹部３６は、底壁１２の側に位置して底壁第２凹部３２につながる側壁第１凹部３７と、第１凹部３７の内側に位置して底壁第１凹部３１につながる側壁第２凹部３８とから形成されている（図５援用）。
【００８６】
側壁第２凹部３８は、その凹み深さが側壁第１凹部３７のそれよりも深い。側壁第２凹部３８は、底壁第１凹部３１につながって前後方向の幅寸法が狭い幅狭い部分３９と、幅狭い部分３９につながる幅広い部分４０とを有する。側壁第１凹部３７と両側壁１３，１４との間に残差が生じ、側壁第１凹部３７と側壁第２凹部３８との間に残差が生じている。
【００８７】
シャッタ部材１７は、図１４に示すように、略矩形の底板４１（第１底板）と、底板４１の両側縁から上方へ延びる両側板４２（第１両側板）と、両側板４２の間に位置して底板４１の前端縁から上方へ延びる２つの連結板４３と、それら連結板４３につながって底板４１から上方へ延びる２つのシャッタ板４４とから形成されている。底板４１は、前後方向前方に位置する第１嵌合部４５と、前後方向後方に位置する第２嵌合部４６と、第１および第２嵌合部４５，４６の間に位置する段差嵌合部４７と、それらシャッタ板４４の間に位置して挿入孔１５の中央部２１に向かって（前後方向後方）凹む凹部７１とを有する。
【００８８】
底板４１の第１嵌合部４５は、その平面形状が底壁第３凹部３３の形状と略同形同大であり、第２嵌合部４６は、その平面形状が底壁第１凹部３１の形状と略同形同大である。段差嵌合部４７は、その平面形状が底壁第１段差部３４の形状と略同形同大である。シャッタ部材１７の両側板４２は、その平面形状が側壁第２凹部３８の形状と略同形同大である。両側板４２は、底板４１につながって前後方向の幅寸法が狭い幅狭い部分４８と、幅狭い部分４８につながる幅広い部分４９とを有する。幅狭い部分４８は、その平面形状が側壁第２凹部３８の幅狭い部分３９と略同形同大である。幅広い部分４９は、その平面形状が側壁第２凹部３８の幅広い部分４０と略同形同大である。
【００８９】
それらシャッタ板４４は、連結板４３の側を基端として弾性変形可能である。それらシャッタ板４４は、その基端に位置して連結板４３につながる固定部５０と、その延出端に位置して挿入孔１５の中央部２１に向かって所定角度で折れ曲がる折曲部５１と、固定部５０と折曲部５１との間に位置して挿入孔１５の中央部２１に向かって凸となるように円弧を画く湾曲部５２とを有する。
【００９０】
シャッタ部材１７は、図１１に示すように、挿入孔１５の両端部１９，２０に着脱可能に固定されている。このシャッタ部材１７の両端部１９，２０への設置手順は、図１のシャッタ部材１７のそれと同一である。シャッタ部材１７の底板４１の第１嵌合部４５は、底壁第３凹部３３に嵌め込まれ、第３凹部３３の全体に嵌合かつ密着している。シャッタ部材１７の底板４１の第２嵌合部４６は、底壁第１凹部３１に嵌め込まれ、第１凹部３１の全体に嵌合かつ密着している。シャッタ部材１７の底板４１の段差嵌合部４７は、底壁第１段差部３４に嵌合かつ密着している。
【００９１】
シャッタ部材１７の両側板４２は、側壁第２凹部３８に嵌め込まれ、第２凹部３８に嵌合かつ密着している。両側板４２の幅狭い部分４８は、側壁第２凹部３８の幅狭い部分３９に嵌め込まれ、部分３９の全体に嵌合かつ密着し、両側板４２の狭い幅広い部分４９は、側壁第２凹部３８の幅広い部分４０に嵌め込まれ、部分４０に嵌合かつ密着している。シャッタ部材１７の連結板４３は、底壁端面２９の端面凹部３０に嵌合かつ密着している。シャッタ部材１７のシャッタ板４４のうちの折曲部５１と湾曲部５２とは、挿入孔１５の両端部１９，２０に位置して挿入孔１５を遮蔽している。シャッタ部材１７では、底板４１の第１嵌合部４５とシャッタ板４４の固定部５０とがアダプタ１０Ｂの底壁１２の内外面を挟み込んでいる。
【００９２】
ストッパー部材１８は、図１５に示すように、略矩形の底板５３（第２底板）と、底板５３の両側縁から上方へ延びる両側板５４（第２両側板）と、両側壁５４に形成されて横方向外方へ末広がりに傾斜して延びる係止板５５とから形成されている。ストッパー部材１８の底板５３は、その平面形状が底壁第１凹部分３１と底壁第２凹部３２とを合わせた形状と略同形同大である。ストッパー部材１８の両側板５４は、その平面形状が側壁第１凹部３７と側壁第２凹部３８とを合わせた形状と略同形同大である。
【００９３】
ストッパー部材１８は、シャッタ部材１７の上に重なった状態で、アダプタ１０Ａの一方の端部２０に着脱可能に固定されている。このストッパー部材１８の端部２０への設置手順は、図１のストッパー部材１８のそれと同一である。ストッパー部材１８の底板５３は、シャッタ部材１７の底板４１の第２嵌合部４６の上に重なった状態で、底壁第２凹部３２に嵌め込まれ、第２凹部３２の全体に嵌合かつ密着している。ストッパー部材１８の両側板５４は、シャッタ部材１７の両側板４２の上に重なった状態で、側壁第１凹部３７に嵌め込まれ、第１凹部３７の全体に嵌合かつ密着している。
【００９４】
アダプタ１０Ｂは、図１のそれと同様に、ストッパー部材１８の係止板５５を利用して光通信に使用する取り付けパネルや各種装置、各種機器の所定の箇所に取り付けられる。アダプタ１０Ｂに光ファイバ接続用コネクタ５８を挿入する手順やアダプタ１０Ｂからコネクタ５８を抜き取る手順は、図１のアダプタ１０Ａのそれらと同一であるから、図９，１０を援用するとともに、図９，１０の説明を援用することで、それらの説明は省略する。なお、コネクタ５８の構成は、図９，１０に図示のそれと同一である。
【００９５】
アダプタ１０Ｂにおけるシャッタ部材１７のシャッタ板４４の湾曲部５２の曲率半径は、図１のアダプタ１０Ａのシャッタ部材１７のシャッタ板４４の湾曲部５２のそれと同一である。アダプタ１０Ｂのシャッタ部材１７の厚み寸法は、図１のアダプタ１０Ａのシャッタ部材１７のそれと同一であり、アダプタ１０Ｂにおけるシャッタ板４４の湾曲部５２の弾性反発力は、図１のシャッタ板４４の湾曲部５２のそれと同一である。
【００９６】
この光通信用アダプタ１０Ｂは、図１のアダプタ１０Ａが有する効果に加え、以下の効果を有する。アダプタ１０Ｂは、２つの光ファイバ接続用コネクタ５８を横方向へ並べた状態でそれらコネクタ５８を挿入孔１５の両端部１９，２０に挿入し、それらコネクタ５８を介して光を接続させることができ、一度に複数の線路による光接続を行うことができる。
【００９７】
アダプタ１０Ｂは、シャッタ部材１７が底板４１と底板４１の両側縁から上方へ延びる両側板４２と底板４１の前端縁から上方へ延びる２つの連結板４３と連結板につながって所定の曲率半径で湾曲する２つのシャッタ板４４とから作られるから、シャッタ部材１７の部品点数が少なく、それをプレス成形加工によって製作する場合であっても、加工の難易度が低く、プレス成形加工によって同形同大のシャッタ部材１７を短時間に大量に製作することができる。アダプタ１０Ｂは、低い製作コストでシャッタ部材１７やストッパー部材１８を製作することができ、その結果、アダプタ１０Ｂ自体を低い単価で作ることができる。
【００９８】
アダプタ１０Ｂは、シャッタ部材１７の底板４１をアダプタ１０Ｂの底壁１２の外面に形成された底壁凹部２８に嵌合させ、シャッタ部材１７の両側板４２を両側壁１３，１４の外面に形成された側壁凹部３６に嵌合させることで、シャッタ部材１７をアダプタ１０Ｂに簡単に取り付けることができる。アダプタ１０Ｂは、ストッパー部材１８がシャッタ部材１７の上に重なるように、ストッパー部材１８の底板５３をアダプタ１０Ｂの底壁１２の外面に形成された底壁凹部２８に嵌合させ、ストッパー部材１８の両側板５４を両側壁１３，１４の外面に形成された側壁凹部３６に嵌合させることで、ストッパー部材１８をアダプタ１０Ｂに簡単に取り付けることができる。アダプタ１０Ｂは、シャッタ部材１７やストッパー部材１８のアダプタ１０Ｂに対する取り付けが容易であり、アダプタ１０Ｂの組み立てに手間や時間がかからず、その結果、アダプタ１０Ｂ自体を低い単価で作ることができる。
【００９９】
アダプタ１０Ｂは、光ファイバ接続用コネクタ５８の挿入によってシャッタ部材１７の一方のシャッタ板４４がその弾性力に抗して倒れたとしても、凹部７１によって一方のシャッタ板４４の倒れ込みの力が横方向へ並ぶ他方のシャッタ板４４に伝わることはなく、一方のシャッタ板４４が倒れたとしても、他方のシャッタ板４４がそれに追従して倒れることがなく、他方のシャッタ板４４によって他方の挿入孔１５を確実に遮蔽することができる。
【０１００】
なお、図１１のアダプタ１０Ｂでは１つの仕切板７０が設置され、横方向へ２つの挿入孔１５が並んでいるが、仕切板７０の数に特に限定はなく、アダプタ１０Ｂに２つ以上の仕切板７０が設置され、３つ以上の挿入孔１５が横方向へ並んでいてもよい。この場合、シャッタ部材１７には挿入口に数に応じて３つ以上の連結板４３とシャッタ板４４とが形成される。また、図１や図１１のアダプタ１０Ａ，１０Ｂではストッパー部材１８が一方の端部２０に設置されているが、ストッパー部材１８を他方の端部１９のみに設置することもでき、ストッパー部材１８を両端部１９，２０に設置することもできる。
【符号の説明】
【０１０１】
１０Ａ  光通信用アダプタ
１０Ｂ  光通信用アダプタ
１１    頂壁
１２    底壁
１３    側壁
１４    側壁
１５    挿入孔
１６    光接続用スリーブ
１７    シャッタ部材
１８    ストッパー部材
１９    端部
２０    端部
２１    中央部
２８    底壁凹部
２９    両端面
３０    端面凹部
３１    底壁第１凹部
３２    底壁第２凹部
３３    底壁第３凹部
３４    底壁第１段差部
３５    底壁第２段差部
３６    側壁凹部
３７    側壁第１凹部
３８    側壁第２凹部
４１    底板（第１底板）
４２    両側板（第１両側板）
４３    連結板
４４    シャッタ板
４５    第１嵌合部
４６    第２嵌合部
４７    段差嵌合部
５０    固定部
５１    折曲部
５２    湾曲部
５３    底板（第２底板）
５４    両側板（第２両側板）
５５    係止板
７０    仕切壁
７１    凹部
【図１】
0005138005.tif 000002
【図２】
0005138005.tif 000003
【図３】
0005138005.tif 000004
【図４】
0005138005.tif 000005
【図５】
0005138005.tif 000006
【図６】
0005138005.tif 000007
【図７】
0005138005.tif 000008
【図８】
0005138005.tif 000009
【図９】
0005138005.tif 000010
【図１０】
0005138005.tif 000011
【図１１】
0005138005.tif 000012
【図１２】
0005138005.tif 000013
【図１３】
0005138005.tif 000014
【図１４】
0005138005.tif 000015
【図１５】
0005138005.tif 000016